(57)【要約】【課題】クーラント供給用の接続器と螺合する雌ネジ部が形成されたキャップ部材を緩んだり外れたりすることなく取付穴に取付可能とする。【解決手段】工具本体１後端部のシャンク部２に形成された取付穴９の中心線Ｏから偏心した位置にクーラント穴１０が開口させられ、取付穴９には外形円柱状のキャップ部材１１が嵌挿させられ、キャップ部材１１には、取付穴９内に開口して工具本体１のクーラント穴１０と連通するクーラント供給路１２と、クーラント供給路１２に連通するとともに取付穴９の開口部に露出したキャップ部材１１の後端面に中心線Ｏと同軸に開口する雌ネジ部１１ａとが形成され、キャップ部材１１は回り止め部材１４を介して取付穴９に着脱可能に取り付けられ、回り止め部材１４はクーラント穴１０の開口部を避けて中心線Ｏから偏心した位置に配設される。【選択図】図１
2014000630.tif 000002
【特許請求の範囲】
【請求項１】
切削工具の工具本体後端部のシャンク部から上記工具本体先端部に向けて延びるクーラント穴にクーラントを供給する切削工具におけるクーラント供給機構であって、上記シャンク部には取付穴が形成されて、上記クーラント穴はこの取付穴の中心線から偏心した位置に開口させられており、上記取付穴には外形円柱状のキャップ部材が嵌挿させられていて、このキャップ部材にはクーラント供給路と雌ネジ部とが形成され、上記クーラント供給路は上記取付穴内に開口して上記クーラント穴と連通し、上記雌ネジ部は上記クーラント供給路に連通するとともに上記取付穴の開口部に露出した上記キャップ部材の後端面に上記中心線と同軸に開口しており、上記キャップ部材は回り止め部材を介して上記取付穴に着脱可能に取り付けられていて、上記回り止め部材は上記クーラント穴の開口部を避けて上記中心線から偏心した位置に配設されていることを特徴とする切削工具におけるクーラント供給機構。
【請求項２】
上記回り止め部材は、頭部とネジ軸部とを備えて、上記キャップ部材を上記取付穴に着脱可能に取り付ける取付ネジであることを特徴とする請求項１に記載の切削工具におけるクーラント供給機構。
【請求項３】
上記取付ネジの上記頭部には作業用工具と係合する係合部が形成されており、上記キャップ部材には、上記雌ネジ部よりも先端側に、該キャップ部材の先端面と外周面に開口して内周側に延びるとともに上記中心線から離れた位置に内周端を有するスリットが形成され、このスリットの先端部は上記ネジ軸部の直径よりも大きくて上記頭部よりも小さなスリット幅とされ、該スリットの後端部は上記頭部よりも大きなスリット幅とされるとともに上記内周端側が上記雌ネジ部の底面に開口させられており、上記取付ネジは上記ネジ軸部を上記スリットの先端部に挿通させるとともに上記頭部を上記スリットの後端部に挿通させて上記内周端に配設させられ、この内周端に配設させられた状態で上記係合部が上記雌ネジ部底面の開口部から露出して上記作業用工具と係合可能とされていることを特徴とする請求項２に記載の切削工具におけるクーラント供給機構。
【請求項４】
上記キャップ部材には複数の上記スリットが周方向に等間隔に形成されており、これらのスリットのそれぞれに上記取付ネジが挿通させられていることを特徴とする請求項３に記載の切削工具におけるクーラント供給機構。
【請求項５】
上記雌ネジ部の底面から上記キャップ部材の先端面には貫通穴が形成されていて、この貫通穴に挿通される取付ネジによって該キャップ部材が上記取付穴に着脱可能に取り付けられるとともに、上記回り止め部材は、上記キャップ部材の先端面と上記取付穴の底面の上記中心線から偏心した位置に形成された嵌合穴に嵌合させられる回り止めピンであることを特徴とする請求項１に記載の切削工具におけるクーラント供給機構。
【請求項６】
上記取付穴内における上記クーラント供給路の開口部よりも後端側には、上記取付穴の内周面と上記キャップ部材の外周面との間にシール部材が介装されていることを特徴とする請求項１から請求項５のうちいずれか一項に記載の切削工具におけるクーラント供給機構。
【発明の詳細な説明】
【技術分野】
【０００１】
本発明は、ドリルやボーリングバーなどの穴加工工具を初めとする切削工具において、切刃や被削材の切削部位にクーラントを供給するための切削工具におけるクーラント供給機構に関するものである。
【背景技術】
【０００２】
切削工具による切削加工においては、切刃の刃先や被削材の切削部位に発生する切削熱に対する冷却、これら刃先や切削部位の潤滑、あるいは切刃によって被削材の切削部位から生成される切屑の排出性向上のため、切削油剤等のクーラントの供給が欠かせない。特に、ドリルやボーリングバーのような穴加工工具による切削加工では、被削材の切削部位が加工穴の底面や下穴の内周面となることから、切削熱が籠もり易くなったり切屑詰まりが生じ易くなったりする一方、切削工具の工具本体の外部からクーラントを供給しようとしても、切削部位に確実かつ効率的にクーラントを供給することは困難となる。
【０００３】
そこで、例えば特許文献１には、ドリル本体先端部のランド部分にクーラント穴を形成してその先端を切刃の近傍に開口させるとともに、このクーラント穴の後端は、ドリル本体後端部のシャンク部後端面に形成した取付穴内に開口させて、この取付穴に、クーラントが供給されるホースの接続器が接続される雌ネジ部が形成された保持器を取り付け、ドリル本体内部のこれら取付穴およびクーラント穴を介してクーラントを切刃や被削材の切削部位に供給するようにしたクーラントの供給機構が提案されている。
【０００４】
このようなクーラントの供給機構では、クーラント穴がドリル本体の内部に形成されているため、被削材や生成される切屑に遮られることなく切刃や被削材の切削部位に確実かつ効率的にクーラントを供給することができる。また、特にクーラント穴がドリル本体先端部では切屑排出溝の間のランド部分に形成されているので、例えばドリル本体の中心軸線に沿ってクーラント穴を形成するのに比べて心厚を小さくすることができ、逆に切屑排出溝の断面積は大きくすることができるので、切屑排出性を向上させることができる。
【先行技術文献】
【特許文献】
【０００５】
【特許文献１】特開２００９−１４２９８４号公報
【発明の概要】
【発明が解決しようとする課題】
【０００６】
ところが、この特許文献１に記載されたクーラントの供給機構では、上記雌ネジ部が形成された保持器が接着や焼き嵌めのような手段によって固定的にドリル本体の取付穴に取り付けられており、雌ネジ部のネジ山が潰れるなどして保持器に損傷が生じたときに保持器だけを交換するのは容易ではなく、場合によってはドリル本体ごと廃棄しなければならなくなる。また、接着によって保持器を取り付けた場合には十分な取付強度を確保することが難しく、さらに焼き嵌めによって保持器を取り付ける場合にはドリル本体を加熱して取付穴を拡径させる加熱手段が必要となり、しかも加熱によってドリル本体に歪みが生じるため、保持器の取付後にドリル本体を最終仕上げ加工する必要もある。
【０００７】
ここで、このような問題を解決するには保持器をドリル本体に着脱可能とすることが考えられ、こうして保持器を着脱可能とする着脱手段としてはネジ止めが一般的に考えられる。しかしながら、単に取付穴内周面に雌ネジ部を形成するとともに保持器の外周面にはこの雌ネジ部と螺合する雄ネジ部を形成してネジ止めしたり、あるいは保持器に挿通した取付ネジを取付穴底面に形成したネジ穴にねじ込んでネジ止めしたりしたのでは、保持器内周面の雌ネジ部にクーラント供給用のホースの接続器外周面の雄ネジ部をねじ込んで接続するときや、この雄ネジ部を緩めて接続器を取り外すときに、保持器が接続器と共回りして緩んだり取付穴から外れてしまったりするおそれがある。
【０００８】
一方、ドリル本体のシャンク部後端面に接続器の雄ネジ部と螺合する雌ネジ部を直接形成することも考えられるが、この雌ネジ部のネジ山が潰れるなどして損傷すると、やはりドリル本体ごと廃棄しなければならない。しかも、特許文献１に記載のクーラント供給機構のようにクーラント穴がドリル本体先端部のランド部に形成されていて、ドリル本体やシャンク部および取付穴の中心線から偏心していると、雌ネジ部の内径は接続されるクーラント供給用の接続器の雄ネジ部に応じて一定であるため、クーラント穴を取付穴の雌ネジ部が形成された部分以外の位置に確実に開口させることができなくなるおそれもあり、場合によってはクーラント穴が雌ネジ部と重なってしまってクーラント漏れが生じるおそれがある。
【０００９】
本発明は、このような背景の下になされたもので、上述のようにクーラント穴が取付穴の中心線から偏心している場合に、クーラント供給用の接続器の雄ネジ部と螺合する雌ネジ部を取付穴に着脱可能に取り付けられるキャップ部材に形成し、このキャップ部材を緩んだり外れたりすることなく取付穴に取付可能な切削工具におけるクーラント供給機構を提供することを目的としている。
【課題を解決するための手段】
【００１０】
上記課題を解決して、このような目的を達成するために、本発明は、切削工具の工具本体後端部のシャンク部から上記工具本体先端部に向けて延びるクーラント穴にクーラントを供給する切削工具におけるクーラント供給機構であって、上記シャンク部には取付穴が形成されて、上記クーラント穴はこの取付穴の中心線から偏心した位置に開口させられており、上記取付穴には外形円柱状のキャップ部材が嵌挿させられていて、このキャップ部材にはクーラント供給路と雌ネジ部とが形成され、上記クーラント供給路は上記取付穴内に開口して上記クーラント穴と連通し、上記雌ネジ部は上記クーラント供給路に連通するとともに上記取付穴の開口部に露出した上記キャップ部材の後端面に上記中心線と同軸に開口しており、上記キャップ部材は回り止め部材を介して上記取付穴に着脱可能に取り付けられていて、上記回り止め部材は上記クーラント穴の開口部を避けて上記中心線から偏心した位置に配設されていることを特徴とする。
【００１１】
このように構成されたクーラント供給機構においては、クーラント穴が工具本体後端部のシャンク部に形成された取付穴に開口させられており、クーラント供給用の接続器の雄ネジ部と螺合する雌ネジ部が形成されたキャップ部材が、この取付穴に嵌挿させられて取り付けられる。このため、クーラント穴が取付穴やシャンク部あるいは工具本体の中心線から偏心していても、取付穴と外形円柱状のキャップ部材の内外径を適当に設定することにより、クーラント穴を確実に取付穴内に開口させてキャップ部材のクーラント供給路を介し接続器に接続される雌ネジ部に連通させることができる。
【００１２】
そして、このキャップ部材は、クーラント穴と同じく取付穴の中心線から偏心した位置に配設された回り止め部材を介して嵌挿された取付穴に着脱可能に取り付けられており、雌ネジ部が取付穴の中心線と同軸であっても、接続器を接続するときや取り外すときにキャップ部材が共回りして緩んだり取付穴から外れたりするのを防ぐことができる。また、キャップ部材が着脱可能であるので、損傷が生じた場合でもキャップ部材だけを交換することができて工具本体ごと廃棄する必要がなく、また熱による歪みが工具本体に生じることもないため、キャップ部材の取付後に最終仕上げ加工する必要もない。
【００１３】
ここで、このようにキャップ部材を中心線から偏心した回り止め部材を介して取付穴に着脱可能に取り付けるには、上記雌ネジ部の底面からキャップ部材の先端面に貫通穴を形成して、この貫通穴に挿通されるネジ軸部と貫通穴の内径よりも大きな外径の頭部とを備えた取付ネジによってキャップ部材を取付穴に着脱可能に取り付けるとともに、回り止め部材は、キャップ部材の先端面と取付穴の底面の上記中心線から偏心した位置に形成された嵌合穴に嵌合させられる回り止めピンとするのが簡単であり、この場合には貫通穴が上記中心線と同軸に形成されていても、回り止めピンによってキャップ部材の共回りを防止することができる。
【００１４】
ただし、このように回り止めピンによってキャップ部材の共回りを防止する場合にキャップ部材を着脱可能とするには、回り止めピンと嵌合穴の間には僅かながらのクリアランスが必要となり、共回りは防ぐことができてもキャップ部材にがたつきが生じるおそれがある。また、特に上述のように貫通穴が取付穴の中心線と同軸になるように形成されていると、シャンク部の外径が小さくて取付穴とキャップ部材の内外径も小さくならざるを得ない場合には、嵌合穴と回り止めピンの内外径も小さくならざるを得ず、回り止めに対する十分な強度を確保することができなくなるおそれもある。
【００１５】
そこで、頭部とネジ軸部を備えてキャップ部材を取付穴に着脱可能に取り付ける取付ネジ自体を回り止め部材とすることにより、ネジ軸部をねじ込むことによって頭部がクリアランス無くキャップ部材を押圧して取り付けることができるので、がたつきを防止することができる。また、このような取付ネジ自体が回り止め部材とされて、上記中心線から偏心した位置に配設され、すなわちねじ込まれるため、シャンク部の外径が小さくて取付穴とキャップ部材の内外径も小さくならざるを得ない場合でも、取付ネジのネジ軸部や頭部の外径は比較的大きく確保することができて、回り止めに対する強度も十分に確保することが可能となる。
【００１６】
ところで、このように取付ネジを回り止め部材として取付穴の中心線から偏心した位置にねじ込む場合、雌ネジ部の内径が十分に大きければ、回り止めピンを回り止め部材とする場合と同様に、雌ネジ部の底面からキャップ部材の先端面に貫通する貫通穴を上記中心線から偏心した位置に形成し、雌ネジ部内周を通して取付ネジのネジ軸部を貫通穴に挿通して、取付ネジの頭部に形成された係合部にレンチ等の作業用工具を係合させて回転させることにより、ネジ軸部を取付穴底面に形成されるネジ穴にねじ込んでキャップ部材を取り付けるとともに回り止めすることができる。
【００１７】
ところが、上述したように雌ネジ部の内径は接続されるクーラント供給用の接続器の雄ネジ部に応じて一定であるため、取付穴の中心線と同軸となる雌ネジ部の内周を通して、この中心線から偏心した位置に形成された貫通穴にネジ軸部が挿通されるように、頭部も含めて取付ネジを挿入しようとしても、貫通穴の中心線からの偏心量によっては頭部やネジ軸部が雌ネジ部と干渉して取付ネジを挿入できなくなるおそれがある。
【００１８】
そこで、このような雌ネジ部との干渉を防ぎつつ取付穴の中心線から偏心した位置に取付ネジをねじ込むには、キャップ部材の雌ネジ部よりも先端側に、キャップ部材の先端面と外周面に開口して内周側に延びるとともに上記中心線から離れた位置に内周端を有するスリットを形成し、このスリットの先端部を上記ネジ軸部の直径よりも大きくて上記頭部よりも小さなスリット幅とし、またスリットの後端部は上記頭部よりも大きなスリット幅とするとともに上記内周端側を雌ネジ部の底面に開口させるようにして、ネジ軸部をスリット先端部に挿通させるとともに頭部をスリット後端部に挿通させて取付ネジを上記内周端に配設し、この内周端に配設された状態で、頭部に形成された係合部が上記雌ネジ部底面の開口部から露出して作業用工具と係合可能となるようにすればよい。
【００１９】
このように構成することにより、キャップ部材の雌ネジ部よりも先端側に形成されたスリットに、雌ネジ部と干渉することなく取付ネジをキャップ部材の外周から挿入させて、上記中心線から偏心した位置のスリット内周端に配設させることができ、こうして内周端に配設された状態で、雌ネジ部内周を通してその底面開口部に露出した取付ネジ頭部の係合部に作業用工具を係合させることにより取付ネジを回転させて、取付穴底面の上記内周端に対応した位置に形成されたネジ穴にネジ軸部をねじ込み、キャップ部材を取付穴に着脱可能に取り付けることができる。
【００２０】
なお、キャップ部材に複数の上記スリットを周方向に等間隔に形成し、これらのスリットのそれぞれに取付ネジを挿通してねじ込むようにすれば、キャップ部材の取付強度や回り止めに対する強度を向上させることができる。また、このように取付ネジ自体を回り止め部材とする場合や、上述のように回り止めピンを回り止め部材とする場合でも、取付穴内におけるキャップ部材の上記クーラント供給路の開口部よりも後端側において、取付穴内周面とキャップ部材外周面との間にシール部材を介装すれば、クーラントの漏れをさらに確実に防止することができる。
【発明の効果】
【００２１】
以上説明したように、本発明によれば、キャップ部材を着脱可能に取付穴に取り付けることにより、雌ネジ部に損傷が生じた場合でもキャップ部材だけを交換することができて工具本体ごと廃棄する必要がなく、そしてこの雌ネジ部にクーラント供給用の接続器を接続したり雌ネジ部から接続器を取り外したりするときでも、キャップ部材が緩んだり取付穴から外れてしまったりするのを防ぐことができる。
【図面の簡単な説明】
【００２２】
【図１】本発明をドリルに適用した場合の第１の実施形態を示す（ａ）側面図、（ｂ）背面図、（ｃ）図（ｂ）におけるＣＣ断面図、（ｄ）図（ｂ）におけるＤＤ断面図である。
【図２】図１に示す実施形態におけるドリル本体の（ａ）側面図、（ｂ）背面図、（ｃ）図（ｂ）におけるＣＣ断面図、（ｄ）図（ｂ）におけるＤＤ断面図、（ｅ）図（ａ）におけるＥＥ断面図である。
【図３】図１に示す実施形態におけるキャップ部材の（ａ）正面図、（ｂ）図（ａ）における矢線Ｂ方向視の一部破断側面図、（ｃ）図（ａ）における矢線Ｃ方向視の一部破断側面図、（ｄ）背面図、（ｅ）図（ｃ）におけるＥＥ断面図である。
【図４】図３に示すキャップ部材の変形例を示す（ａ）正面図、（ｂ）図（ａ）における矢線Ｂ方向視の一部破断側面図、（ｃ）図（ａ）における矢線Ｃ方向視の一部破断側面図、（ｄ）背面図、（ｅ）図（ｃ）におけるＥＥ断面図である。
【図５】本発明をドリルに適用した場合の第２の実施形態を示す（ａ）側面図、（ｂ）背面図、（ｃ）図（ｂ）におけるＣＣ断面図、（ｄ）図（ｂ）におけるＤＤ断面図である。
【図６】図５に示す実施形態におけるドリル本体の（ａ）側面図、（ｂ）背面図、（ｃ）図（ｂ）におけるＣＣ断面図、（ｄ）図（ｂ）におけるＤＤ断面図、（ｅ）図（ａ）におけるＥＥ断面図である。
【図７】図５に示す実施形態におけるキャップ部材の（ａ）正面図、（ｂ）図（ａ）における矢線Ｂ方向視の一部破断側面図、（ｃ）図（ａ）における矢線Ｃ方向視の一部破断側面図、（ｄ）背面図である。
【図８】本発明をボーリングバーに適用した場合の第３の実施形態を示す（ａ）側面図、（ｂ）背面図、（ｃ）図（ｂ）におけるＣＣ断面図、（ｄ）図（ｂ）におけるＤＤ断面図である。
【発明を実施するための形態】
【００２３】
図１ないし図３は、本発明を刃先交換式のドリルに適用した場合の第１の実施形態を示すものである。本実施形態における切削工具の工具本体としてのドリル本体１は、鋼材等の金属材料により形成されて図１および図２に示すように外形が中心線Ｏを中心とした多段の略円柱状をなし、その長手方向の後端部（図１（ａ）において右側部分）が外形円柱状のシャンク部２とされるとともに、このシャンク部２の先端側（図１（ａ）において左側）には一段僅かに縮径する部分を介して外径が最大となる円盤状の鍔部３が形成され、この鍔部３のさらに先端側には再び外形円柱状をなす切刃部４が形成されている。シャンク部２の外周面には中心線Ｏに略平行な切欠面２ａが形成されている。
【００２４】
このようなドリルは、通常は上記シャンク部２が工作機械の主軸に把持されて中心線Ｏ回りに図１（ｂ）に示すドリル回転方向Ｔに回転されつつ該中心線Ｏ方向先端側に送り出され、切刃部４の先端に設けられた切刃によって被削材に穴あけ加工を行う。ただし、これとは逆に、上記シャンク部２を刃物台に保持してドリル本体１を固定し、被削材を中心線Ｏ回りにドリル回転方向Ｔとは反対方向に回転させ、刃物台をドリル本体１の中心線Ｏ方向先端側に送り出すことにより、被削材に穴あけ加工を行う場合もある。
【００２５】
切刃部４の外周には、切刃部４の先端から鍔部３の円錐台面状の先端面にかけて、後端側に向かうに従い中心線Ｏ回りにドリル回転方向Ｔ後方側に捩れる一対の螺旋状の切屑排出溝５が周方向に等間隔に形成されており、これらの切屑排出溝５の間の部分が一対のランド部６とされる。また、各切屑排出溝５のドリル回転方向Ｔ側を向く壁面の先端にはインサート取付座７が形成されて、超硬合金等の硬質材料により形成された切削インサート８が取り付けられており、この切削インサート８に上記切刃が形成されている。
【００２６】
シャンク部２には、その後端面から先端側に向けて取付穴９が形成されている。この取付穴９は中心線Ｏを中心とした一定内径の断面円形をなしており、シャンク部２の後端面からシャンク部２の長手方向中央部の手前当たりにまで形成され、その穴底面は中心線Ｏに垂直とされている。また、図２（ｂ）に示すように、この穴底面の内周寄りで、ただし取付穴９の中心線Ｏから偏心した位置には、複数（本実施形態では２つ）の取付ネジ穴９ａが中心線Ｏに関して対称に、すなわち周方向に等間隔に、また穴底面に垂直に形成されている。
【００２７】
さらに、この取付穴９の穴底面からドリル本体１の先端側に向けては一対のクーラント穴１０が穿設されている。これらのクーラント穴１０は、やはり図２（ｂ）に示すように取付穴１０の穴底面の外周寄りの位置において中心線Ｏから偏心して開口させられ、この中心線Ｏに対して捩れの関係となるようにして直線的に先端側に延び、鍔部３から切刃部４の上記一対のランド部６内を通って、例えばドリル本体１の先端面（先端逃げ面）に開口させられている。なお、工具本体１の背面視において、これら一対のクーラント穴１０の中心同士を結ぶ直線と上記２つの取付ネジ穴９ａの中心同士を結ぶ直線とは、図２（ｂ）に示すように垂直に近い角度で交差するようにされている。
【００２８】
なお、鍔部３の外周面には中心線Ｏに平行な平面状の切欠面３ａが形成されており、この切欠面３ａからは止まり穴状のクーラント連通穴１０ａが中心線Ｏに垂直に穿設されている。このクーラント連通穴１０ａは、各クーラント穴１０よりは大径で、取付穴９よりは小径の内径を有しており、図２（ｅ）に示すように鍔部３内において上記一対のクーラント穴１０と交差して連通させられている。また、クーラント連通穴１０ａの切欠面３ａへの開口部には雌ネジ部１０ｂが形成されており、この雌ネジ部１０ｂは次述するキャップ部材１１の雌ネジ部１１ａと同径で内周側に向かうに従い漸次縮径するテーパネジとされている。
【００２９】
取付穴９には、図３に示すような外形円柱状のキャップ部材１１が嵌挿されて中心線Ｏと同軸となるように取り付けられる。このキャップ部材１１もドリル本体１と同様に鋼材等の金属材料によって形成され、その後端面（図３（ｂ）、（ｃ）において右側を向く面）からは、クーラント連通穴１０ａの上記雌ネジ部１０ｂと同径で先端側（図３（ｂ）、（ｃ）において左側）に向かうに従い漸次縮径するテーパネジ状の雌ネジ部１１ａが、やはり中心線Ｏと同軸となるように、キャップ部材１１の長手方向（図３（ｂ）、（ｃ）における左右方向）の略中央部にまで形成されている。なお、この雌ネジ部１１ａが形成されたキャップ部材１１の後端部の外周面には、断面コ字状の環状溝１１ｂが形成されている。
【００３０】
また、キャップ部材１１の雌ネジ部１１ａよりも先端側にはクーラント供給路１２が形成されていて、雌ネジ部１１ａはこのクーラント供給路１２に連通させられている。このクーラント供給路１２は、雌ネジ部１１ａのネジ穴底面から先端側に延びる縦穴部１２ａと、この縦穴部１２ａに交差してキャップ部材１１の外周側に延びる横穴部１２ｂと、この横穴部１２ｂの外周側開口部においてキャップ部材１１の外周面を切り欠くように形成された切欠部１２ｃとにより構成されている。
【００３１】
縦穴部１２ａは、雌ネジ部１１ａのネジ穴底面における内径より僅かに小さな一定の内径の中心線Ｏを中心とした円形穴とされ、ただしその穴底部分は凹円錐面状とされる。また、横穴部１２ｂは縦穴部１２ａよりも小径の円形穴とされて中心線Ｏに直交する方向に延び、縦穴部１２ａに交差して連通するとともに一対の横穴部１２ｂがキャップ部材１１の外周面において周方向に互いに反対側に開口させられる。さらに、切欠部１２ｃは、これら一対の横穴部１２ｂの外周側開口部においては、各横穴部１２ｂにそれぞれ垂直な平面によってキャップ部材１１の外周面を切り欠くようにして形成され、またキャップ部材１１の先端部においては上記垂直な平面からさらに一段内周側に平行に凹むように形成されている。
【００３２】
また、キャップ部材１１の雌ネジ部１１ａよりも先端側には、キャップ部材１１の先端面と外周面に開口して内周側に延びるスリット１３が形成されている。本実施形態では、取付穴９の穴底面に形成された取付ネジ穴９ａと同数の複数（２つ）のスリット１３が周方向に等間隔に、中心線Ｏに関して対称となるように形成されている。これらのスリット１３は、図３（ｂ）に示すようにその先端部１３ａが後端部１３ｂよりもスリット幅が一段幅狭とされた断面Ｔ字状をなしており、そのスリット幅方向（図３（ａ）、（ｂ）、（ｄ）、（ｅ）において上下方向）の中心に位置する平面が中心線Ｏを含み、クーラント供給路１２の横穴部１２ｂの中心線に直交する方向に延びるようにされている。
【００３３】
スリット１３の先端部１３ａのスリット幅は、取付ネジ穴９ａの内径よりも僅かに大きくされている。また、スリット１３の後端部１３ｂの後端面は、中心線Ｏ方向（長手方向）において雌ネジ部１１ａのネジ穴底面と面一となるようにされており、従ってスリット１３はクーラント供給路１２の縦穴部１２ａと交差させられ、縦穴部１２ａの凹円錐面状の上記穴底部分は、このスリット１３によって部分的に切り欠かれることになる。
【００３４】
さらに、スリット１３は、その内周端１３ｃが中心線Ｏには達せずに該中心線Ｏから外周側に離れた位置に配設されている。ここで、本実施形態におけるスリット１３は、キャップ部材１１の外周面から内周側に延びる部分では先端部１３ａと後端部１３ｂとがそれぞれ一定のスリット幅とされ、内周部の中心線Ｏ近傍では該中心線Ｏに直交する断面が図３（ｅ）に示すようにこれら先端部１３ａと後端部１３ｂのスリット幅を直径として内周側に凹となる同心の半円弧状に形成されており、この半円弧の中心がスリット１３の内周端１３ｃとされている。
【００３５】
従って、本実施形態では、上記複数のスリット１３の先端部１３ａの間には、キャップ部材１１先端部の肉厚が中心線Ｏ上に残されることになる。なお、スリット１３の後端部１３ｂは、本実施形態では複数のスリット１３同士で重なり合うようにされ、従ってこの部分にキャップ部材１１の肉厚は残されない。また、スリット１３の先端部１３ａと後端部１３ｂとの間の段差面は、中心線Ｏに垂直な平面状とされている。さらに、取付穴９の穴底面に形成された２つの取付ネジ穴９ａの中心同士の間隔は、これらスリット１３の内周端１３ｃ同士の間隔と略等しくされている。
【００３６】
このようなキャップ部材１１は、頭部１４ａとネジ軸部１４ｂとを備えた取付ネジ１４によって取付穴９に着脱可能に取り付けられる。本実施形態ではスリット１３と同数の２本の取付ネジ１４が用いられる。スリット１３の先端部１３ａのスリット幅は取付ネジ１４のネジ軸部１４ｂの外径よりも僅かに大きくされ、後端部１３ｂのスリット幅はネジ軸部１４ｂの外径よりは大きく、頭部１４ａの外径よりは小さくされている。さらに、頭部１４ａの後端面には作業用工具である六角レンチに係合する六角穴状の係合部１４ｃが形成され、また頭部１４ａの裏面は取付ネジ１４の中心線に垂直な平面状とされ、そしてネジ軸部１４ｂは取付穴９の取付ネジ穴９ａにねじ込み可能とされている。
【００３７】
この取付ネジ１４は、スリット１３の先端部１３ａにネジ軸部１４ｂが、後端部１３ｂに頭部１４ａが挿通されて、キャップ部材１１の外周側からスリット１３に挿入され、取付ネジ１４の中心線がスリット１３の上記内周端１３ｃと略一致したところで、この内周端１３ｃに配設される。こうして取付ネジ１４がスリット１３の内周端１３ｃに配設された状態で、頭部１４ａに形成された係合部１４ｃは、図１（ｂ）に示すようにキャップ部材１１の雌ネジ部１１ａのネジ穴底面に開口したクーラント供給路１２の縦穴部１２ａから露出するように、すなわち係合部１４ｃの全体がキャップ部材１１の背面視においてこの縦穴部１２ａ内に位置するようにされ、係合部１４ｃが作業用工具としての六角レンチと係合可能とされる。
【００３８】
このように各スリット１３に取付ネジ１４が挿入されたキャップ部材１１は、スリット１３の内周端１３ｃがドリル本体１の背面視において取付ネジ穴９ａの中心と一致するようにして取付穴９に嵌挿される。このとき、キャップ部材１１外周面の環状溝１１ｂにはＯリング等のシール部材１５が収容されて、このキャップ部材１１の外周面と取付穴９の内周面との間に介装される。さらに、取付ネジ１４の係合部１４ｃはクーラント供給路１２の縦穴部１２ａ内に露出しているので、この雌ネジ部１１ａから縦穴部１２ａを通して作業用工具としての六角レンチを挿入し、係合部１４ｃと係合させて取付ネジ１４を回転させることにより、ネジ軸部１４ｂが取付ネジ穴９ａにねじ込まれてキャップ部材１１が取付穴９に着脱可能に取り付けられる。
【００３９】
このとき、取付穴９の底面において一対のクーラント穴１０は外周寄りにあってその中心同士を結ぶ直線と２つの取付ネジ穴９ａの中心同士を結ぶ直線とは垂直に近い角度で交差するようにされ、またキャップ部材１１において取付ネジ１４が挿通されるスリット１３はクーラント供給路１２の横穴部１２ｂの中心線に直交する方向に延びるようにされているので、この横穴部１２ｂに垂直な平面によってキャップ部材１１外周面が切り欠かれて形成されたクーラント供給路１２の切欠部１２ｃは、クーラント穴１０と連通させられることになる。
【００４０】
こうしてキャップ部材１１が取り付けられたドリルを用いて被削材に穴あけ加工を施す際に、このキャップ部材１１のクーラント供給路１２を介してクーラント供給するには、図１（ａ）に２点鎖線で示すように工作機械側のクーラントの供給手段に連結されたクーラント供給用のホースの接続器あるいはチューブ継ぎ手Ｃの先端外周のテーパネジとされた雄ネジ部をキャップ部材１１の雌ネジ部１１ａに螺合させて接続器あるいはチューブ継ぎ手Ｃをキャップ部材１１に接続するとともに、鍔部３のクーラント連通穴１０ａは雌ネジ部１０ｂに封止ネジ１６をねじ込んで封止する。なお、この図１（ａ）に示すのは、上述したようにドリル本体１を刃物台に固定して被削材を回転することにより穴あけ加工を行う場合である。
【００４１】
このようにキャップ部材１１の雌ネジ部１１ａに接続器あるいはチューブ継ぎ手Ｃを接続してクーラントを供給すると、クーラントは雌ネジ部１１ａのネジ穴底面に開口したクーラント供給路１２の縦穴部１２ａから横穴部１２ｂに流れ込み、次いで切欠部１２ｃと取付穴９との間隙を介してクーラント穴１０に供給される。さらに、こうしてクーラント穴１０に供給されたクーラントは、鍔部３内のクーラント連通穴１０ａを経て切刃部４のランド部６内を通り、ドリル本体１の先端から噴出して切刃や被削材の切削部位に供給される。
【００４２】
従って、上記構成のクーラント供給機構を備えた切削工具（ドリル）によれば、これら切刃や被削材の切削部位に工具本体（ドリル本体１）の内部から直接的にクーラントを供給することができるので、確実かつ効率的な冷却、潤滑を図ることができるとともに、切刃によって生成された切屑の排出性向上を図ることができる。特に、本実施形態のドリルでは、クーラント穴１０が切刃部４のランド６部分に形成されていて、切刃部４におけるドリル本体１の中心線部分すなわち取付穴９の中心線Ｏ上の部分は中実であるので、この中心線Ｏに直交する断面において該中心線Ｏを中心として切屑排出溝５の底面に接する心厚円の直径を小さくすることができ、逆に切屑排出溝５の断面積は大きく確保することができるので、一層の切屑排出性の向上を図ることができる。
【００４３】
また、このようにランド部６に通されるのに伴いクーラント穴１０が中心線Ｏから偏心した位置に延びていても、このクーラント穴１０はシャンク部２に形成された大径の取付穴９に開口させられるとともに、この取付穴９には、該取付穴９に開口してクーラント穴１０に連通するクーラント供給路１２と、このクーラント供給路１２に連通してクーラント供給手段に連結された接続器あるいはチューブ継ぎ手Ｃが接続される雌ネジ部１１ａとを備えたキャップ部材１１が取り付けられているので、このキャップ部材１１を介して取付穴９からクーラント穴１０に確実にクーラントを供給することができる。
【００４４】
さらに、キャップ部材１１は取付穴９に着脱可能に取り付けられているので、雌ネジ部１１ａのネジ山が潰れるなどして損傷したときにはキャップ部材１１だけを交換すればよく、効率的かつ経済的である。また、焼き嵌めによる取付のように工具本体（ドリル本体１）を加熱する必要もないので、加熱後の歪みを修正するために最終仕上げ処理をドリル本体１に施す必要もない。
【００４５】
そして、このキャップ部材１１は、本実施形態では取付ネジ１４によって取付穴９に着脱可能に取り付けられており、この取付ネジ１４は取付穴９の中心線Ｏから偏心した位置に配設されていて本実施形態における回り止め部材とされているので、雌ネジ部１１ａに接続器あるいはチューブ継ぎ手Ｃを接続する際や、雌ネジ部１１ａから接続器あるいはチューブ継ぎ手Ｃを取り外す際に、キャップ部材１１が共回りして緩んだり取付穴９から外れてしまうことがない。このため、キャップ部材１１に緩みが生じたままクーラントが供給されてクーラント漏れを生じたり、取付穴９から外れたキャップ部材１１を取り付け直す手間が生じたりすることがなく、円滑な切削加工を行うことができる。
【００４６】
また、本実施形態では、このようにキャップ部材１１を取付穴９に着脱可能に取り付ける取付ネジ１４が回り止め部材とされており、この取付ネジ１４のネジ軸部１４ｂを取付ネジ穴９ａにねじ込むことによって頭部１４ａの裏面がスリット１３の先後端部１３ａ、１３ｂ間の段差面を押圧することにより、キャップ部材１１をがたつき無く安定的に取り付けることができる。
【００４７】
さらに、こうして中心線Ｏから偏心した位置にねじ込まれる取付ネジ１４によってキャップ部材１１が回り止めされるとともに固定されるため、中心線Ｏ上にはキャップ部材１１固定用の他の取付ネジなどを設ける必要がない。従って、このような他の取付ネジとの干渉が生じることもないので、取付ネジ１４の頭部１４ａやネジ軸部１４ｂの外径を比較的大きくすることができ、キャップ部材１１の取付強度や回り止め強度を十分に確保することが可能となる。
【００４８】
さらにまた、本実施形態では、このように取付ネジ１４を回り止め部材として中心線Ｏから偏心した位置に配設するのに、キャップ部材１１の雌ネジ部１１ａよりも先端側に、先端部１３ａのスリット幅がネジ軸部１４ｂの直径よりも大きくて頭部１４ａの直径よりは小さく、後端部１３ｂのスリット幅は頭部１４ａの直径よりも大きくされたスリット１３を、キャップ部材１１の先端面と外周面に開口して内周側に延び、中心線Ｏから離れた位置に内周端１３ｃを有するように形成し、このスリット１３に外周側から取付ネジ１４を挿通するようにしている。
【００４９】
しかるに、この点、キャップ部材１１の雌ネジ部１１ａおよびクーラント供給路１２の縦穴部１２ａの内径を十分に大きくすることができれば、この縦穴部１２ａの穴底からキャップ部材１１の先端面にかけて中心線Ｏから偏心した位置に貫通穴を形成し、この貫通穴にネジ軸部１４ｂを挿通するとともに頭部１４ａを縦穴部１２ａに収容して取付ネジ１４を取付ネジ穴９ａにねじ込むことができるが、雌ネジ部１１ａの大きさは、工作機械側のクーラント供給手段の接続器あるいはチューブ継ぎ手Ｃの雄ネジ部によって決まっていて共通化されているため、これよりも大きくすることはできない。このため、回り止めに対する強度を高めようとして上記貫通穴の偏心量を大きくしようとすると、頭部１４ａやネジ軸部１４ｂが雌ネジ部１１ａと干渉して取付ネジ１４を貫通穴に挿通することができなくなってしまう。
【００５０】
ところが、これに対して本実施形態では、スリット１３に外周側から取付ネジ１４が挿通されて中心線Ｏから偏心した内周端１３ｃに配設されるため、こうして内周端１３ｃに配設された取付ネジ１４の頭部１４ａに形成された係合穴１４ｃが雌ネジ部１１ａ底面の縦穴部１２ａの開口部から露出していて、この開口部を通して作業用工具を挿入して係合させることができれば、頭部１４ａの外周部が図１（ｂ）に示すように上記開口部からはみ出して隠れていても、取付ネジ１４を回転させて取付ネジ穴９ａにねじ込むことができる。このため、本実施形態によれば、回り止め部材としての取付ネジ１４を中心線Ｏからより離れた位置で取付ネジ穴９ａにねじ込むことができ、回り止め強度の向上を図ることが可能となる。
【００５１】
さらにまた、本実施形態では、このようなスリット１３がキャップ部材１１に複数（２つ）形成されていて、これらのスリット１３にそれぞれ取付ネジ１４が挿通されて取付ネジ穴９ａにねじ込まれているので、キャップ部材１１を確実かつ一層強固に取り付けるとともに回り止めすることができる。しかも、これらのスリット１３はキャップ部材１１の周方向に等間隔に形成されているので、安定的にキャップ部材１１を取り付けるとともに回り止めすることができ、さらには取付ネジ１４同士が干渉してしまうのも防ぐことができる。
【００５２】
ただし、本実施形態では、このように複数のスリット１３をキャップ部材１１の周方向に等間隔に形成しているが、例えば図４に示す第１の実施形態の変形例のキャップ部材２１のように、１つのスリット１３だけが内周端１３ｃを中心線Ｏから偏心した位置に配設して形成されていてもよい。なお、この変形例を初め、後述する第２、第３の実施形態でも、第１の実施形態と共通する部分には同一の符号を配して説明を省略する。
【００５３】
このような変形例のキャップ部材２１を用いた切削工具におけるクーラント供給機構でも、中心線Ｏから偏心した位置に配設される１つの取付ネジ１４によってキャップ部材２１をドリル本体１の取付穴９に取り付けるとともに回り止めすることができる。なお、この場合には、取付穴９の取付ネジ穴９ａも１つであってもよい。さらに、他の取付ネジ１４との干渉が生じることもないので、例えば頭部１４ａの直径を第１の実施形態よりも大きくして、さらに強固にキャップ部材２１を取り付けるようにしてもよい。
【００５４】
次に、図５ないし図７は本発明をドリルに適用した場合の第２の実施形態を示すものである。本実施形態において取付ネジ穴９ａは、第１の実施形態のように取付穴９の中心線Ｏから偏心した位置ではなく、中心線Ｏ上に１つだけ形成されており、これに合わせてキャップ部材３１にもスリット１３は形成されずに、クーラント供給路１２の縦穴部１２ａの穴底からキャップ部材３１の先端面にかけて、段付き穴とされた貫通穴３２が中心線Ｏに沿って形成されている。
【００５５】
一方、キャップ部材３１の先端面と取付穴９の穴底面には、クーラント穴１０の開口部を避けて中心線Ｏから互いに等しい偏心量で偏心した位置に略等しい内径の嵌合穴３３、３４が形成されており、このうちキャップ部材３１の嵌合穴３３には、図７（ｃ）に示すように本実施形態における回り止め部材としての回り止めピン３５が嵌合させられている。なお、図７（ａ）に示すようにキャップ部材３１の嵌合穴３３は、中心線Ｏを含んでクーラント供給路１２の横穴部１２ｂの中心線に直交する平面上に中心が位置するようにされ、図６（ｂ）に示すように取付面９の嵌合穴３４は、この嵌合穴３４の中心と中心線Ｏとを結ぶ直線が一対のクーラント穴１０の開口部を結ぶ直線と略直交する方向に位置するようにされている。
【００５６】
このような第２の実施形態において、キャップ部材３１は、嵌合穴３３に嵌合させられた回り止めピン３５を嵌合穴３４に嵌合させるようにして取付穴９に嵌挿させられ、貫通穴３２に挿通された取付ネジ３６を取付ネジ穴９ａにねじ込むことにより取付穴９に着脱可能に取り付けられる。そして、この場合にも、取付穴９の中心線Ｏから偏心した位置に配設された回り止め部材としての回り止めピン３５によってキャップ部材３１の回転が拘束されるので、クーラント供給手段の接続器あるいはチューブ継ぎ手を雌ネジ部１１ａに接続するときや取り外すときにキャップ部材３１が共回りするのを防ぐことができ、キャップ部材３１の緩みや外れを防止することができる。
【００５７】
なお、この第２の実施形態や上記第１の実施形態においても、ドリル本体１の鍔部３にはクーラント連通穴１０ａが形成されて切欠面３ａに開口させられており、シャンク部２に取り付けられたキャップ部材１１、２１、３１の雌ネジ部１１ａに接続器あるいはチューブ継ぎ手Ｃを接続するときには、このクーラント連通穴１０ａ開口部の雌ネジ部１０ｂは上述のように封止ネジ１６によって封止されるが、ドリル本体１を固定する刃物台の形状等によってキャップ部材１１、２１、３１の雌ネジ部１１ａに接続器あるいはチューブ継ぎ手Ｃを接続することができない場合などには、このクーラント連通穴１０ａの雌ネジ部１０ｂに接続器あるいはチューブ継ぎ手Ｃを接続して、キャップ部材１１、２１、３１の雌ネジ部１１ａは封止ネジ１６によって封止すればよい。
【００５８】
また、これら第１、第２の実施形態では、このようにドリル本体１を刃物台に固定して被削材を中心線Ｏ回りに回転させることにより被削材に穴あけ加工を行う場合について説明したが、上述した通常のドリルによる穴あけ加工のようにドリル本体１のシャンク部２を工作機械の回転駆動される主軸に取り付けて、ドリル本体１を中心線Ｏ回りに回転させつつ、固定された被削材に対して中心線Ｏ方向先端側に送り出して穴あけ加工を行うようにしてもよい。この場合には、クーラント連通穴１０ａの雌ネジ部１０ｂは封止ネジ１６によって封止され、キャップ部材１１、２１、３１の雌ネジ部１１ａに接続器あるいはチューブ継ぎ手Ｃを介して、または直接に工作機械側からクーラントが供給される。
【００５９】
さらに、図８は、本発明をボーリングバーに適用した場合の第３の実施形態を示すものである。本実施形態において、ボーリングバー本体４１はドリル本体１と同様に鋼材等の金属材料により形成されて中心線Ｏを中心とした多段の概略円柱軸状をなし、後端部がシャンク部４２とされるとともに、先端部はシャンク部４２よりも僅かに小径とされた切刃部４３とされている。切刃部４３には、１条の切屑排出溝４４がボーリングバー本体４１の先端から中心線Ｏに平行にシャンク部４２の手前にまで形成され、この切屑排出溝４４の先端に形成されたインサート取付座７に切削インサート８が着脱可能に取り付けられている。
【００６０】
そして、シャンク部４２の後端面には取付穴９が形成されていて、この取付穴９には、第１の実施形態と同様のキャップ部材１１が着脱可能に取り付けられている。また、この取付穴９の穴底面外周部からは中心線Ｏに平行に１つのクーラント穴１０が先端側に向けて延びていて、このクーラント穴１０は切刃部４３において切屑排出溝４４が形成されていない部分を通り、切刃部４３先端部において曲折させられて切削インサート８の切削に使用される切刃に向けて開口させられている。なお、本実施形態では、クーラント穴１０にクーラント連通穴１０ａは形成されていない。
【００６１】
このような第３の実施形態のボーリングバーは、例えば上述した第１の実施形態のドリルにおいて穴あけ加工を行う場合と同様にボーリングバー本体４１のシャンク部４２が工作機械の刃物台に取り付けられて固定され、中心線Ｏと平行な回転軸線回りに回転させられる被削材に予め形成された下穴に中心線Ｏ方向先端側に送り出されて挿入され、この下穴の仕上げ加工に用いられる。従って、このような第３の実施形態でも、第１の実施形態と同様の効果を得ることができる。なお、この第３の実施形態において、第１の実施形態の変形例のキャップ部材２１や第２の実施形態のキャップ部材３１を用いてもよい。
【００６２】
また、この第３の実施形態を初めとして上記第１、第２の実施形態でも、キャップ部材１１、２１、３１外周面におけるクーラント供給路１２の開口部となる切欠部１２ｃの後端よりも後端側には環状溝１１ｂが形成されてＯリング等のシール部材１５が収容され、このシール部材１５がキャップ部材１１、２１、３１の外周面と取付穴９の内周面との間に介装されている。このため、取付穴９とキャップ部材１１、２１、３１との間からのクーラント漏れを確実に防止することができて、ドリル本体１やボーリングバー本体４１の汚れを防ぐとともに、クーラントの消費量を削減することができる。
【００６３】
なお、このように第１、第２の実施形態では本発明をドリルに適用した場合について、また第３の実施形態では本発明をボーリングバーに適用した場合について、いずれも本発明を穴加工に用いる穴加工工具に適用した場合について説明したが、このような穴加工工具以外の他の種の切削工具に本発明を適用することも可能である。ただし、上述したように穴加工工具による切削加工では、穴内での加工になるため切削熱が籠もり易くなったり切屑詰まりが生じ易くなったりする一方、切削工具の工具本体の外部からクーラントを供給するのは困難であるため、そのような穴加工工具に本発明を適用するのはより効果的である。
【符号の説明】
【００６４】
１  ドリル本体（工具本体）
２、４２  シャンク部
９  取付穴
１０  クーラント穴
１１、２１、３１  キャップ部材
１１ａ  キャップ部材１１、２１、３１の雌ネジ部
１２  クーラント供給路
１３  スリット
１３ａ  スリット１３の先端部
１３ｂ  スリット１３の後端部
１３ｃ  スリット１３の内周端
１４  取付ネジ（回り止め部材）
１４ａ  取付ネジ１４の頭部
１４ｂ  取付ネジ１４のネジ軸部
１４ｃ  係合部
１５  シール部材
３３、３４  嵌合穴
３５  回り止めピン（回り止め部材）
４１  ボーリングバー本体（工具本体）
Ｏ  取付穴９の中心線
【図１】
2014000630.tif 000003
【図２】
2014000630.tif 000004
【図３】
2014000630.tif 000005
【図４】
2014000630.tif 000006
【図５】
2014000630.tif 000007
【図６】
2014000630.tif 000008
【図７】
2014000630.tif 000009
【図８】
2014000630.tif 000010